(57)【要約】【課題】特別な治具を使用することなく、端子ねじを容易に、且つ、確実に脱着することができ、しかも、小型化を図ることができる端子台を提供する。【解決手段】第１導電金具をねじ止めする端子ねじ１２ａ、１２ｂと、端子ねじ１２ａ、１２ｂを締結する導電金具６０ａ、６０ｂと、端子ねじ１２ａ、１２ｂを保持する端子ねじ保持金具１４ａ、１４ｂと、端子ねじ保持金具１４ａ、１４ｂを、上方に弾性付勢する円錐ばね１６ａ、１６ｂとを備える。端子ねじ保持金具１４ａ、１４ｂの上側水平板部４４ａ、４４ｂは、端子ねじ１２ａ、１２ｂが挿通し、且つ、前方又は後方に開口された切欠き４８ａ、４８ｂを有する。【選択図】図２
2018106874.tif 000002
【特許請求の範囲】
【請求項１】
第１導電金具をねじ止めする端子ねじと、
前記端子ねじを締結する第２導電金具と、
前記端子ねじを保持する端子ねじ保持金具と、
前記端子ねじ保持金具を、前記端子ねじに向かう第１方向に弾性付勢する円錐ばねとを備え、
前記端子ねじ保持金具は、前記第１方向に沿って延在する第１板部と、前記第１板部の一方の端部から前記第１方向と異なる第２方向に延在する第２板部と、前記第１板部の他方の端部から前記第２方向に延在する第３板部とを有し、
前記端子ねじ保持金具の前記第２板部は、前記端子ねじが挿通し、且つ、前記第１方向と前記第２方向と異なる第３方向に開口された切欠きを有することを特徴とする端子台。
【請求項２】
請求項１記載の端子台において、
前記第２板部は、前記端子ねじが載置されるねじ載置面を有し、
前記第３板部は、前記円錐ばねによって前記第１方向に押圧される押圧面を有することを特徴とする端子台。
【請求項３】
請求項１又は２記載の端子台において、
前記端子ねじ保持金具の前記第２板部のうち、前記第３板部側の面に、前記端子ねじが組み込まれる座金が取り付けられていることを特徴とする端子台。
【請求項４】
請求項１〜３のいずれか１項に記載の端子台において、
前記端子ねじ保持金具の前記第３板部のうち、前記第２板部側の面に、前記第１導電金具と異なる第２導電金具が載置固定されていることを特徴とする端子台。
【請求項５】
請求項１〜４のいずれか１項に記載の端子台において、
少なくとも前記端子ねじ、前記端子ねじ保持金具及び前記円錐ばねを囲む筐体を有することを特徴とする端子台。
【請求項６】
請求項５記載の端子台において、
前記筐体は、取り付け用のかぎ状の爪が設けられていることを特徴とする端子台。
【請求項７】
請求項５又は６記載の端子台において、
前記筐体は、前記端子ねじを保護する端子カバーが開閉自在に取り付けられていることを特徴とする端子台。
【発明の詳細な説明】
【技術分野】
【０００１】
本発明は、端子台に関し、例えばノイズフィルタ装置に適用して好適な端子台に関する。
【背景技術】
【０００２】
従来から、例えばモータ等を駆動するインバータ装置等の負荷装置と電源との間に、伝導ノイズあるいは放射ノイズのノイズ発生源となる前記負荷装置からの前記ノイズを阻止するためにノイズフィルタ装置が挿入配置される。
【０００３】
ノイズフィルタ装置と外部回路との電気的接続部分には、公知のように、例えば、金属ケース（筐体）に取り付けられた端子台が使用される。従来の端子台としては、例えば特許文献１〜３に記載の端子台が挙げられる。
【０００４】
特許文献１記載の端子台は、ねじを回転させて端子のねじ用穴からねじを離脱させたときに、座金に一端が取り付けられたばねの付勢力により、ねじが座金と共にアップする端子台が記載されている。この端子台では、ねじが座金と共にアップした状態から、ねじ抜き取り治具の先端部分を座金押圧用穴を通して座金だけを上から押えることで、ねじを座金のねじ保持穴から抜き取ることができる。
【０００５】
特許文献２記載の端子台は、ねじ孔が設けられた導電金具と、取付ねじを挿通装着する可動座金部材と、可動座金部材を上方付勢するばねとを絶縁性の樹脂製基板に装着し、取付ねじをねじ孔に螺合してリード線の端部を導電金具と可動座金部材の間に挟持することにより、該リード線を導電金具に電気的に接続するねじ式端子台が記載されている。
【０００６】
特許文献３記載の端子台は、温度検出器（温度ヒューズ）を有する端子台が記載されている。この端子台は、導電金具に螺着される端子ねじ、端子ねじを保持するアップ座金及びアップ座金を上方へ弾性付勢する圧縮ばねを備えたねじアップ式端子台が記載されている。
【先行技術文献】
【特許文献】
【０００７】
【特許文献１】特許第４８５１４７２号公報
【特許文献２】特許第５２７１１１７号公報
【特許文献３】実用新案登録第３１７４３４８号公報
【発明の概要】
【発明が解決しようとする課題】
【０００８】
ところで、特許文献１〜３記載の端子台のうち、特許文献２及び３記載の端子台は、ねじの交換が容易でないという問題がある。
【０００９】
特許文献１記載の端子台は、ねじを容易に、且つ、確実に抜き取ることができるが、ねじ抜き取り治具等の特別な治具を用いる必要がある。しかも、円筒状の圧縮ばねを用いているため、端子台の高さが高くなり、小型化が困難という問題もある。
【００１０】
本発明はこのような課題を考慮してなされたものであり、特別な治具を使用することなく、端子ねじを容易に、且つ、確実に脱着することができ、しかも、小型化を図ることができる端子台を提供することを目的とする。
【課題を解決するための手段】
【００１１】
［１］  本発明に係る端子台は、第１導電金具をねじ止めする端子ねじと、前記端子ねじと締結する第２導電金具と、前記端子ねじを保持する端子ねじ保持金具と、前記端子ねじ保持金具を、前記端子ねじに向かう第１方向に弾性付勢する円錐ばねとを備え、前記端子ねじ保持金具は、前記第１方向に沿って延在する第１板部と、前記第１板部の一方の端部から前記第１方向と異なる第２方向に延在する第２板部と、前記第１板部の他方の端部から前記第２方向に延在する第３板部とを有し、前記端子ねじ保持金具の前記第２板部は、前記端子ねじが挿通し、且つ、前記第１方向と前記第２方向と異なる第３方向に開口された切欠きを有することを特徴とする。
【００１２】
端子ねじ保持金具の第２板部に、端子ねじが挿通し、且つ、第１方向と第２方向と異なる第３方向に開口された切欠きを設けるようにしたので、端子ねじを脱着する場合、端子ねじを切欠きの開口方向に移動することで、端子ねじを容易に、且つ、特別な治具を使用することなく、確実に脱着することができる。
【００１３】
しかも、端子ねじ保持金具を、端子ねじに向かう第１方向に弾性付勢する圧縮ばねとして、円錐ばねを用いたので、円筒状の圧縮コイルばねと比して、最大圧縮時の全長を短くすることができる。これにより、端子台の第１方向に関する大きさを小さくすることができ、端子台の小型化に寄与する。
【００１４】
［２］  本発明において、前記第２板部は、前記端子ねじが載置されるねじ載置面を有し、前記第３板部は、前記円錐ばねによって前記第１方向に押圧される押圧面を有してもよい。
【００１５】
これにより、端子ねじを脱着する際に、円錐ばねによる押圧によって端子ねじ保持金具が第１方向（例えば上方）に移動することから、端子ねじの脱着作業が容易になる。
【００１６】
［３］  本発明において、前記端子ねじ保持金具の前記第２板部のうち、前記第３板部側の面に、前記端子ねじが組み込まれる座金が取り付けられていてもよい。
【００１７】
これにより、端子ねじを脱着する際に、端子ねじを座金に組み込まれた状態で、端子ねじを端子ねじ保持金具の第２板部から脱着することができるため、端子ねじの脱着作業が容易になる。
【００１８】
［４］  本発明において、前記端子ねじ保持金具の前記第３板部のうち、前記第２板部側の面に、前記第１導電金具と異なる前記第２導電金具が載置固定されていてもよい。
【００１９】
これにより、第１導電金具と第２導電金具とを電気的に接続することができるため、第１導電金具に外部からの導電を接続し、第２導電金具に電気部品や電子部品（コイル、コンデンサ、抵抗等）を接続することができる。
【００２０】
［５］  本発明において、少なくとも前記端子ねじ、前記端子ねじ保持金具及び前記円錐ばねを囲む筐体を有してもよい。これにより、前記端子ねじ、前記端子ねじ保持金具及び前記円錐ばね等を筐体で保護することが可能となる。もちろん、端子ねじを脱着する際に、端子ねじを含む端子ねじ保持金具の一部を筐体から露出させて作業を行うことができるため、端子ねじの脱着作業が容易になる。
【００２１】
［６］  本発明において、前記筐体は、取り付け用のかぎ状の爪が設けられていてもよい。これにより、筐体を、取り付け用のかぎ状の爪を使用して、電子機器やケース等に取り付けることが可能になる。
【００２２】
［７］  本発明において、前記筐体は、前記端子ねじを保護する端子カバーが開閉自在に取り付けられていてもよい。端子カバーは、筐体に対して閉じることで、端子ねじを保護する役割を果たす。反対に端子カバーを筐体に対して開き、第２導電金具から端子ねじを緩めることで、端子ねじ保持金具が円錐ばねによって一方向に移動する。これにより、端子ねじの脱着作業が容易になる。
【発明の効果】
【００２３】
以上説明したように、本発明に係る端子台によれば、特別な治具を使用することなく、端子ねじを容易に、且つ、確実に脱着することができ、しかも、小型化を図ることができる。
【図面の簡単な説明】
【００２４】
【図１】本実施の形態に係る端子台の構成を端子カバーを開いて示す斜視図である。
【図２】本実施の形態に係る端子台を示す分解斜視図である。
【図３】本実施の形態に係る端子台の構成を端子カバーを閉じて示す斜視図である。
【図４】本実施の形態に係る端子台を端子カバーを取り外して示す縦断面図である。
【発明を実施するための形態】
【００２５】
以下、本発明に係る端子台の実施の形態例を図１〜図４を参照しながら説明する。
【００２６】
先ず、本実施の形態に係る端子台１０は、図１及び図２に示すように、入出力導線に接続された金属製のリング（第１導電金具：図示せず）をねじ止めする端子ねじ１２ａ及び１２ｂと締結する導電金具６０ａ及び６０ｂと、端子ねじ１２ａ及び１２ｂを保持する端子ねじ保持金具１４ａ及び１４ｂと、端子ねじ保持金具１４ａ及び１４ｂを端子ねじ１２ａ及び１２ｂに向かう第１方向（例えば上方）に弾性付勢する円錐ばね１６ａ及び１６ｂと、これら端子ねじ１２ａ、１２ｂ、導電金具６０ａ、６０ｂ、端子ねじ保持金具１４ａ、１４ｂ及び円錐ばね１６ａ、１６ｂを収容する例えば樹脂製の筐体１８とを備える。なお、図示しない第１導電金具としては、端子台に配線するケーブル端の圧着端子等が挙げられる。
【００２７】
筐体１８は、外形が例えば直方体状にて形成され、少なくとも底板２０、左側板２２ａ及び右側板２２ｂを有し、前面側及び背面側はそれぞれ開放とされている。筐体１８内には、少なくとも円錐ばね１６ａ、１６ｂを保護する保護板２４ａ、２４ｂが設けられ、端子ねじ１２ａ、１２ｂが取り付けられる部分は開放状態となっている。
【００２８】
図１及び図２に示すように、この筐体１８内には２つの端子ねじ１２ａ、１２ｂと、それに対応して２つの端子ねじ保持金具１４ａ、１４ｂと、２つの円錐ばね１６ａ、１６ｂと、導電金具６０ａ、６０ｂが載置固定され収容されている。
【００２９】
また、筐体１８の上面には、端子カバー２６（蓋体）が開閉自在に取り付けられている。端子カバー２６の両側面には、それぞれ背面側に設けられた一対の支軸２８と、これら一対の支軸２８よりも前方に設けられた一対の第１凸部３０ａとを有する。
【００３０】
例えば筐体１８の左側板２２ａ及び右側板２２ｂのうち、それぞれ背面側の上方に、端子カバー２６の一対の支軸２８が挿入される一対の軸受部３２と、端子カバー２６の一対の第１凸部３０ａが挿入される一対の第１凹部３４ａが形成されている。一対の軸受部３２と一対の第１凹部３４ａとの間には、それぞれ上方に突出する係合突起３６が形成されている。軸受部３２は、筐体１８の背面から前方に向かって徐々に深くなるテーパ面３８を有する。
【００３１】
また、筐体１８の左側板２２ａ及び右側板２２ｂのうち、それぞれ前面側の上方に、端子カバー２６の側面に設けられた一対の第２凸部３０ｂが挿入される第２凹部３４ｂが形成されている。
【００３２】
従って、端子カバー２６の各支軸２８を軸受部３２に挿入することで、支軸２８の回転運動によって端子カバー２６の開閉を行うことができる。すなわち、端子カバー２６を開くと、第１凸部３０ａが係合突起３６を乗り越えることで、係合突起３６がストッパーとなり、端子カバー２６を開いたままにすることができる。端子カバー２６の上面がテーパ面３８に接触するまで、端子カバー２６を開くことができる。反対に、端子カバー２６を閉じるときは、第１凸部３０ａが係合突起３６を乗り越えることで、第２凸部３０ｂが第２凹部３４ｂに挿入されて、はめ込まれることで、閉状態が維持される。
【００３３】
なお、筐体１８の下面には、図１に示すように、取り付け用のかぎ状の爪４２が設けられている。例えば端子台１０が取り付けられる電子機器のケースに、上記のかぎ状の爪４２が係合する穴や突起等が形成されていれば、筐体１８を電子機器のケースに容易に取り付けることが可能となる。
【００３４】
一方、端子ねじ保持金具１４ａ、１４ｂは、図２及び図４に示すように、断面コ字状を有し、第１方向に沿って延在する金属製の垂直板部４２ａ、４２ｂ（第１板部）と、垂直板部４２ａ、４２ｂの上端部から第１方向と異なる第２方向（左方向又は右方向）に延在する上側水平板部４４ａ、４４ｂ（第２板部）と、垂直板部４２ａ、４２ｂの下端部から第２方向に延在する下側水平板部４６ａ、４６ｂ（第３板部）とを有する。
【００３５】
端子ねじ保持金具１４ａ、１４ｂの上側水平板部４４ａ、４４ｂは、端子ねじ１２ａ、１２ｂが挿通し、且つ、第１方向及び第２方向と異なる第３方向（例えば前方又は後方）に開口された切欠き４８ａ、４８ｂを有する。一方の上側水平板部４４ａは後方に開口された切欠き４８ａを有し、他方の上側水平板部４４ｂは前方に開口された切欠き４８ｂを有する。
【００３６】
２つの端子ねじ保持金具１４ａ、１４ｂの各垂直板部４２ａ、４２ｂは、互いに対向した位置に設置され、各上側水平板部４４ａ、４４ｂは、互いに外向きに設置され、各下側水平板部４６ａ、４６ｂも互いに外向きに設置されている。すなわち、一方の上側水平板部４４ａと一方の下側水平板部４６ａは、例えば左方向を向き、他方の上側水平板部４４ｂと他方の下側水平板部４６ｂは、例えば右方向を向くように設置されている。
【００３７】
各上側水平板部４４ａ、４４ｂは、それぞれ端子ねじ１２ａ、１２ｂが載置されるねじ載置面５０ａ、５０ｂを有し、各下側水平板部４６ａ、４６ｂは、それぞれ円錐ばね１６ａ、１６ｂによって第１方向に押圧される押圧面５２ａ、５２ｂを有する。
【００３８】
図４に示すように、筐体１８の底板２０のうち、一対の円錐ばね１６ａ、１６ｂが設置される個所に、最大径が円錐ばね１６ａ、１６ｂの最大径よりも小とされ、且つ、上方に隆起する第１膨出部５４ａ、５４ｂが形成されている。また、各下側水平板部４６ａ、４６ｂの上記押圧面５２ａ、５２ｂには、最大径が円錐ばね１６ａ、１６ｂの最小径よりも小とされ、且つ、下方に隆起する第２膨出部５６ａ、５６ｂが形成されている。すなわち、一対の円錐ばね１６ａ、１６ｂは、それぞれ第１膨出部５４ａ、５４ｂと第２膨出部５６ａ、５６ｂとによって挟まれた状態になるため、横方向にずれたり、外れることがなく、安定した状態で筐体１８内に収容される。
【００３９】
さらに、各端子ねじ保持金具１４ａ、１４ｂの上側水平板部４４ａ、４４ｂの下面に、端子ねじ１２ａ、１２ｂに組み込まれる座金５８ａ、５８ｂが取り付けられる。つまり、端子ねじ１２ａ、１２ｂを脱着する際に、端子ねじ１２ａ、１２ｂを座金５８ａ、５８ｂに組み込んだ状態で、端子ねじ１２ａ、１２ｂを端子ねじ保持金具１４ａ、１４ｂの上側水平板部４４ａ、４４ｂに脱着することができる。
【００４０】
各端子ねじ保持金具１４ａ、１４ｂの下側水平板部４６ａ、４６ｂの上面に、入出力導線に接続された金属製のリング（図示せず）とは異なる導電金具６０ａ、６０ｂが載置固定されている。この導電金具６０ａ、６０ｂには、電気部品や電子部品（コイル、コンデンサ、抵抗等）を電気的に接続することができる。
【００４１】
次に、端子ねじ１２ａ、１２ｂを端子台１０から脱着する動作について説明する。
【００４２】
先ず、端子ねじ１２ａ、１２ｂを端子台１０から取り外す場合は、図１に示すように、端子カバー２６を開き、端子ねじ１２ａ、１２ｂを第２導電金具６０ａ及び６０ｂから緩める。このとき、各端子ねじ保持金具１４ａ、１４ｂは円錐ばね（図２、図４参照）の押圧によって上方に移動し、端子ねじ１２ａ、１２ｂが筐体１８の上面から露出する。これにより、端子ねじ１２ａ、１２ｂの取り外しが容易になる。
【００４３】
その後、端子ねじ１２ａ、１２ｂを例えばドライバ等を用いて少し緩めることで、端子ねじ１２ａ、１２ｂと座金５８ａ、５８ｂによる上側水平板部４４ａ、４４ｂの挟持が解かれる。そのため、端子ねじ１２ａ、１２ｂと座金５８ａ、５８ｂを一体とした状態でそれぞれ切欠き４８ａ、４８ｂに沿って移動することで、端子ねじ１２ａ、１２ｂと座金５８ａ、５８ｂを容易に上側水平板部４４ａ、４４ｂから取り外すことができる。
【００４４】
次に、端子ねじ１２ａ、１２ｂを端子台１０に取り付ける場合は、端子カバー２６が開いていることから、図１に示すように、各端子ねじ保持金具１４ａ、１４ｂが円錐ばね１６ａ、１６ｂの押圧によって上方に移動しており、これにより、端子ねじ１２ａ、１２ｂの取り付けが容易になる。
【００４５】
この場合も、端子ねじ１２ａ、１２ｂを座金５８ａ、５８ｂに組み込んだ状態で、すなわち、端子ねじ１２ａ、１２ｂと座金５８ａ、５８ｂを一体とした状態で、上側水平板部４４ａ、４４ｂの切欠き４８ａ、４８ｂの開口から切欠き４８ａ、４８ｂに沿って既定の位置まで移動することで、端子ねじ１２ａ、１２ｂと座金５８ａ、５８ｂを容易に上側水平板部４４ａ、４４ｂに固定することができる。
【００４６】
その後、端子ねじ１２ａ、１２ｂを導電金具６０ａ、６０ｂに締め付けることで、端子ねじ保持金具１４ａ、１４ｂ及び座金５８ａ、５８ｂと共に円錐ばね１６ａ、１６ｂの押圧に抗して下方に移動し、端子ねじ１２ａ、１２ｂが筐体１８内に収容される。端子カバー２６の第１凸部３０ａ及び第２凸部３０ｂがそれぞれ筐体１８の第１凹部３４ａ及び第２凹部３４ｂに入り係合されることで、端子カバー２６が閉じる。
【００４７】
このように、本実施の形態に係る端子台１０は、端子ねじ保持金具１４ａ、１４ｂの上側水平板部４４ａ、４４ｂに、端子ねじ１２ａ、１２ｂが挿通し、且つ、前方又は後方に開口された切欠き４８ａ、４８ｂを設けるようにしたので、端子ねじ１２ａ、１２ｂを脱着する場合、端子ねじ１２ａ、１２ｂを切欠き４８ａ、４８ｂの開口方向に移動することで、端子ねじ１２ａ、１２ｂを容易に、且つ、特別な治具を使用することなく、確実に脱着することができる。しかも、端子ねじ保持金具１４ａ、１４ｂを、端子ねじ１２ａ、１２ｂに向かう方向に弾性付勢する圧縮ばねとして、円錐ばね１６ａ、１６ｂを用いたので、円筒状の圧縮コイルばねと比して、最大圧縮時の全長を短くすることができる。これにより、端子台１０の上方に関する大きさを小さくすることができ、端子台１０の小型化に寄与する。
【００４８】
本実施の形態において、端子ねじ保持金具１４ａ、１４ｂの上側水平板部４４ａ、４４ｂは、端子ねじ１２ａ、１２ｂが載置されるねじ載置面５０ａ、５０ｂを有し、下側水平板部４６ａ、４６ｂは、円錐ばね１６ａ、１６ｂによって上方に押圧される押圧面５２ａ、５２ｂを有する。
【００４９】
これにより、端子ねじ１２ａ、１２ｂを脱着する際に、円錐ばね１６ａ、１６ｂによる押圧によって端子ねじ保持金具１４ａ、１４ｂが上方に移動することから、端子ねじ１２ａ、１２ｂの脱着作業が容易になる。
【００５０】
本実施の形態において、端子ねじ保持金具１４ａ、１４ｂの上側水平板部４４ａ、４４ｂのうち、下側水平板部４６ａ、４６ｂ側の面に、端子ねじ１２ａ、１２ｂに組み込まれた座金５８、５８ｂが取り付けられている。
【００５１】
これにより、端子ねじ１２ａ、１２ｂを脱着する際に、端子ねじ１２ａ、１２ｂを座金５８ａ、５８ｂに組み込んだ状態で、端子ねじ１２ａ、１２ｂを端子ねじ保持金具１４ａ、１４ｂの上側水平板部４４ａ、４４ｂから脱着することができるため、端子ねじ１２ａ、１２ｂの脱着作業が容易になる。
【００５２】
本実施の形態において、端子ねじ保持金具１４ａ、１４ｂの下側水平板部４６ａ、４６ｂのうち、上側水平板部４４ａ、４４ｂ側の面に、第１導電金具と異なる第２導電金具（導電金具６０ａ、６０ｂ）が載置固定されている。
【００５３】
これにより、第１導電金具と第２導電金具とを電気的に接続することができるため、第１導電金具に外部からの導電を接続し、第２導電金具に電気部品や電子部品（コイル、コンデンサ、抵抗等）を接続することができる。
【００５４】
本実施の形態において、少なくとも端子ねじ１２ａ、１２ｂ、端子ねじ保持金具１４ａ、１４ｂ及び円錐ばね１６ａ、１６ｂを囲む筐体１８を有する。
【００５５】
これにより、端子ねじ１２ａ、１２ｂ、端子ねじ保持金具１４ａ、１４ｂ及び円錐ばね１６ａ、１６ｂ等を筐体１８で保護することが可能となる。もちろん、端子ねじ１２ａ、１２ｂを脱着する際に、端子ねじ１２ａ、１２ｂを含む端子ねじ保持金具１４ａ、１４ｂの一部を筐体１８から露出させて作業を行うことができるため、端子ねじ１２ａ、１２ｂの脱着作業が容易になる。
【００５６】
本実施の形態において、筐体１８には、取り付け用のかぎ状の爪４２が設けられている。これにより、筐体１８を、取り付け用のかぎ状の爪４２を使用して、電子機器やケース等に取り付けることが可能なる。
【００５７】
本実施の形態において、筐体１８には、端子ねじ１２ａ、１２ｂを保護する端子カバー２６が開閉自在に取り付けられている。
【００５８】
端子カバー２６は、筐体１８に対して閉じることで、端子ねじ１２ａ、１２ｂを保護する役割を果たす。反対に端子カバー２６を筐体１８に対して開くことで、端子ねじ保持金具１４ａ、１４ｂが円錐ばね１６ａ、１６ｂによって一方向に移動する。これにより、端子ねじ１２ａ、１２ｂの脱着作業が容易になる。
【００５９】
なお、本発明に係る端子台は、上述の実施の形態に限らず、本発明の要旨を逸脱することなく、種々の構成を採り得ることはもちろんである。
【００６０】
すなわち、上述の例では、１つの筐体１８に２つの端子ねじ１２ａ、１２ｂを取り付ける構造としたが、その他、１つの端子ねじを取り付ける構造としてもよいし、３つ以上の端子ねじを取り付ける構造としてもよい。
【００６１】
端子カバー２６を、筐体１８に対して支軸２８を中心に開閉する方式としたが、その他、端子カバーを脱着する方式にしてもよい。
【符号の説明】
【００６２】
１０…端子台                          １２ａ、１２ｂ…端子ねじ
１４ａ、１４ｂ…端子ねじ保持金具      １６ａ、１６ｂ…円錐ばね
１８…筐体                            ２６…端子カバー
４２…爪                              ４２ａ、４２ｂ…垂直板部
４４ａ、４４ｂ…上側水平板部          ４６ａ、４６ｂ…下側水平板部
４８ａ、４８ｂ…切欠き                ５０ａ、５０ｂ…ねじ載置面
５２ａ、５２ｂ…押圧面                ５８ａ、５８ｂ…座金
６０ａ、６０ｂ…導電金具
【図１】
2018106874.tif 000003
【図２】
2018106874.tif 000004
【図３】
2018106874.tif 000005
【図４】
2018106874.tif 000006